(57)【要約】【課題】  画像の取り違えを防ぐことの可能な医用画像処理装置を提供すること。【解決手段】  実施形態によれば、医用画像処理装置は、記憶部と、情報収集部と、判定部とを具備する。記憶部は、検査情報を含むDICOM(Digital Imaging and COmmunication in Medicine)画像データを記憶する。情報収集部は、DICOMに準拠しない汎用画像データに関する情報を収集する。判定部は、指定された汎用画像データがDICOM画像データを作成した検査に関連するか否かを、情報収集部により収集された情報と検査情報とに基づいて判定する。【選択図】  図１
2016136386.tif 000002
【特許請求の範囲】
【請求項１】
検査情報を含むDICOM(Digital Imaging and COmmunication in Medicine)画像データを記憶する記憶部と、
DICOMに準拠しない汎用画像データに関する情報を収集する情報収集部と、
指定された汎用画像データが前記DICOM画像データを作成した検査に関連するか否かを、前記情報収集部により収集された情報と前記検査情報とに基づいて判定する判定部とを具備する、医用画像処理装置。
【請求項２】
前記判定部は、前記汎用画像データに付帯された日付を含む情報に基づいて、前記汎用画像データが前記検査に関連するか否かを判定する、請求項１に記載の医用画像処理装置。
【請求項３】
さらに、前記汎用画像データに検査種別を示す付帯情報を付加する付帯情報付加部を備え、
前記判定部は、前記検査種別を示す付帯情報に基づいて、前記汎用画像データが前記検査に関連するか否かを判定する、請求項１に記載の医用画像処理装置。
【請求項４】
前記判定部は、前記汎用画像データに付帯された日付の情報、または、患者の検査履歴に含まれる日付情報に基づいて、前記汎用画像データが前記検査に関連するか否かを判定する、請求項１乃至３のいずれか1項に記載の医用画像処理装置。
【請求項５】
前記判定部は、
前記情報収集部により収集された日付以外の情報に一致する情報が前記検査情報に含まれ、且つ、前記日付が前記検査の検査日を基準とする許容期間内であれば、前記汎用画像データが前記検査に関連すると判定する、請求項２に記載の医用画像処理装置。
【請求項６】
さらに、前記情報収集部により収集された情報に基づいて、比較のための情報である対照情報を作成する対照情報作成部を有し、
前記判定部は、前記対照情報作成部により作成された対照情報に基づいて、前記汎用画像データが前記検査に関連するか否かを判定することを特徴とする請求項１に記載の医用画像処理装置。
【請求項７】
前記判定部は、検査情報保管装置から取得された検査情報の中に、前記対照情報作成部により作成された対照情報に一致する情報を含む検査情報があれば、前記汎用画像データが前記検査に関連すると判定する、請求項６に記載の医用画像処理装置。
【請求項８】
さらに、前記汎用画像データの意味を示すメタデータを入力可能な入力部を有し、
前記情報収集部は、少なくとも前記メタデータ、ファイルが保管された記憶装置の保管場所の情報、及び前記汎用画像データに付帯された日付の情報を収集し、
前記対照情報は、前記メタデータに基づく検査種別の情報、前記保管場所の情報、及び前記日付に基づく検査日の情報を含む、請求項６または請求項７に記載の医用画像処理装置。
【請求項９】
前記汎用画像データが前記検査に関連すると判定されなかった場合に警告を表示する表示部をさらに具備する、請求項１に記載の医用画像処理装置。
【請求項１０】
さらに、前記汎用画像データに関するストレージ情報を収集するストレージ情報収集部と、
前記汎用画像データに付随する付随データを収集する画像データ収集部と、
前記DICOM画像データを作成した検査に係わるイベント情報を作成するイベント情報作成部と、
前記汎用画像データに当該汎用画像データの意味を示すメタデータを付加するメタデータ付加部と、
前記ストレージ情報と、前記付随データと、前記イベント情報と、前記メタデータとに基づいて、比較のための情報である対照情報を作成する対照情報作成部とを備え、
前記判定部は、前記対照情報作成部により作成された対照情報に基づいて、前記汎用画像データが前記検査に関連するか否かを判定する、請求項１に記載の医用画像処理装置。
【請求項１１】
さらに、前記汎用画像データに関するストレージ情報を収集するストレージ情報収集部と、
前記汎用画像データに付随する付随データを収集する画像データ収集部と、
前記ストレージ情報および前記付随データに基づいて、比較のための情報である対照情報を作成する対照情報作成部とを備え、
前記判定部は、前記対照情報作成部により作成された対照情報に基づいて、前記汎用画像データが前記検査に関連するか否かを判定する、請求項１に記載の医用画像処理装置。
【請求項１２】
さらに、前記汎用画像データに関するストレージ情報を収集するストレージ情報収集部と、
前記汎用画像データに付随する付随データを収集する画像データ収集部と、
前記汎用画像データに含まれる記号情報を画像認識技術により収集する画像認識部とを備え、
前記ストレージ情報と、前記付随データと、前記記号情報とに基づいて、比較のための情報である対照情報を作成する対照情報作成部とを備え、
前記判定部は、前記対照情報作成部により作成された対照情報に基づいて、前記汎用画像データが前記検査に関連するか否かを判定する、請求項１に記載の医用画像処理装置。
【請求項１３】
さらに、前記汎用画像データに関するストレージ情報を収集するストレージ情報収集部と、
前記汎用画像データに付随する付随データを収集する画像データ収集部と、
前記汎用画像データの作成された位置の位置情報を認識する位置情報認識部と、
前記ストレージ情報と、前記付随データと、前記位置情報とに基づいて、比較のための情報である対照情報を作成する対照情報作成部とを備え、
前記判定部は、前記対照情報作成部により作成された対照情報に基づいて、前記汎用画像データが前記検査に関連するか否かを判定する、請求項１に記載の医用画像処理装置。
【請求項１４】
さらに、前記汎用画像データに関するストレージ情報を収集するストレージ情報収集部と、
前記汎用画像データに付随する付随データを収集する画像データ収集部と、
前記汎用画像データを作成した画像生成装置に関する画像生成装置情報を取得する画像生成装置分析部と、
前記ストレージ情報と、前記付随データと、前記画像生成装置情報とに基づいて、比較のための情報である対照情報を作成する対照情報作成部とを備え、
前記判定部は、前記対照情報作成部により作成された対照情報に基づいて、前記汎用画像データが前記検査に関連するか否かを判定する、請求項１に記載の医用画像処理装置。
【発明の詳細な説明】
【技術分野】
【０００１】
本発明の実施形態は、医用画像処理装置に関する。
【背景技術】
【０００２】
Ｘ線診断装置、Ｘ線ＣＴ装置、ＭＲＩ装置、超音波診断装置、核医学診断装置などの医用画像診断装置が知られている。この種の装置で被検体を検査して作成された医用画像データは、DICOM(Digital Imaging and COmmunication in Medicine)に基づく形式で医用画像保管装置に保管される。DICOMに準拠するファイルは、医用画像データと、この医用画像データに付帯する検査情報とを含む。検査情報は、検査を識別するための検査ＩＤ、付帯される医用画像データを撮影したモダリティを識別するためのモダリティＩＤ、および、被検体を識別するための患者ＩＤ、などを含む。
【先行技術文献】
【特許文献】
【０００３】
【特許文献１】特開２００５−１４９１１１号公報
【発明の概要】
【発明が解決しようとする課題】
【０００４】
別途得られたディジタルカメラ画像などの画像データ（以下、汎用画像データと称する）を、医用画像データに関連付けて医用画像保管装置に保管できる画像管理システムが知られている。しかし既存の技術には、互いに関連の無い汎用画像データと医用画像データとを対応付けてしまう、画像取り違えの可能性がある。汎用画像データは例えばJPEG（Joint Photographic Experts Group）形式のデータであり、この種の画像データは、患者個人や、個々の検査を特定するための情報を含まないからである。  
目的は、画像の取り違えを防ぐことの可能な医用画像処理装置を提供することにある。
【課題を解決するための手段】
【０００５】
実施形態によれば、医用画像処理装置は、記憶部と、情報収集部と、判定部とを具備する。記憶部は、検査情報を含むDICOM(Digital Imaging and COmmunication in Medicine)画像データを記憶する。情報収集部は、DICOMに準拠しない汎用画像データに関する情報を収集する。判定部は、指定された汎用画像データがDICOM画像データを作成した検査に関連するか否かを、情報収集部により収集された情報と検査情報とに基づいて判定する。
【図面の簡単な説明】
【０００６】
【図１】図１は、第１の実施形態に係る医用画像処理システムの一例を示す機能ブロック図である。
【図２】図２は、検査情報保管装置４００に保管される検査情報の一覧の例を示す図である。
【図３】図３は、医用画像を表示するウインドウの一例を示す図である。
【図４】図４は、汎用画像データを指定するためのユーザインタフェースの一例を示す図である。
【図５Ａ】図５Ａは、ファイル情報の一例を示す図である。
【図５Ｂ】図５Ｂは、図５Ａに示されるファイル情報に基づいて作成された対照情報の一例を示す図である。
【図６】図６は、検査リストの一例を示す図である。
【図７】図７は、警告を示すウインドウの一例を示す図である。
【図８Ａ】図８Ａは、ファイル情報の他の例を示す図である。
【図８Ｂ】図８Ｂは、図８Ａに示されるファイル情報に基づいて作成された対照情報の一例を示す図である。
【図９】図９は、医用画像を表示するウインドウの他の例を示す図である。
【図１０】図１０は、汎用画像データを指定するためのユーザインタフェースの他の例を示す図である。
【図１１】図１１は、イメージスキャナから得られた汎用画像データの一例を示す図である。
【図１２Ａ】図１２Ａは、ファイル情報の他の例を示す図である。
【図１２Ｂ】図１２Ｂは、図１２Ａに示されるファイル情報に基づいて作成された対照情報の一例を示す図である。
【図１３】図１３は、汎用画像データを指定するためのユーザインタフェースの他の例を示す図である。
【図１４Ａ】図１４Ａは、ファイル情報の他の例を示す図である。
【図１４Ｂ】図１４Ｂは、図１４Ａに示されるファイル情報に基づいて作成された対照情報の一例を示す図である。
【図１５】図１５は、汎用画像データを指定するためのユーザインタフェースの他の例を示す図である。
【図１６Ａ】図１６Ａは、ファイル情報の他の例を示す図である。
【図１６Ｂ】図１６Ｂは、図１６Ａに示されるファイル情報に基づいて作成された対照情報の一例を示す図である。
【図１７】図１７は、第２の実施形態に係る医用画像処理システムの一例を示す機能ブロック図である。
【図１８】図１８は、第３の実施形態に係る医用画像処理システムの一例を示す機能ブロック図である。
【図１９】図１９は、第４の実施形態に係る医用画像処理システムの一例を示す機能ブロック図である。
【図２０】図２０は、第５の実施形態に係る医用画像処理システムの一例を示す機能ブロック図である。
【図２１】図２１は、第６の実施形態に係る医用画像処理システムの一例を示す機能ブロック図である。
【発明を実施するための形態】
【０００７】
［第１の実施形態］
図１は、第１の実施形態に係る医用画像処理システムの一例を示す機能ブロック図である。医用画像処理システムとしての画像管理システム３００は、医用画像処理装置としての画像管理装置１００と、医用画像保管装置２００とを備える。画像管理装置１００および医用画像保管装置２００は、ネットワーク３１０を介して互いに接続される、さらに、検査情報保管装置４００、画像診断装置５００、汎用画像記憶装置６００、施設情報記憶装置７００、および患者情報記憶装置８００が、ネットワーク３１０に接続される。
【０００８】
医用画像保管装置２００は、DICOMに準拠する医用画像データを保管する。医用画像データは、画像診断装置５００による検査で作成された医用画像データと、この医用画像データに付帯する当該検査の検査情報とを含む。医用画像データと検査情報とを含むデータを、以下の説明では、DICOM画像データと称する。また、DICOM画像データに含まれる医用画像データを画像化して、表示可能な医用画像が作成されるとする。
【０００９】
汎用画像記憶装置６００は、DICOMに準拠しない汎用画像データを保管する。画像管理装置１００は、汎用画像記憶装置６００に保管された汎用画像データの取り扱いを管理する。
【００１０】
検査情報保管装置４００は、検査情報を保管する。検査情報は、例えば、HIS(Hospital Information System)やRIS(Radiology Information System)などのような情報管理システムにより作成される。検査情報は、医療施設において実施される検査毎に作成される。検査情報は、例えば、個々の検査を識別するための検査ＩＤ、検査種別、検査に係る被検体の氏名（名前、または患者名）や性別、被検体を識別するための患者ＩＤ、前記検査の検査日などの情報を含む。
【００１１】
画像診断装置５００は、Ｘ線診断装置、Ｘ線ＣＴ装置、ＭＲＩ装置、超音波診断装置、核医学診断装置、内視鏡装置などのモダリティである。いずれのモダリティも、DICOM画像データを作成することが可能である。
【００１２】
汎用画像記憶装置６００は、汎用画像データとこの汎用画像データに付帯される付帯情報と、を含むファイルを保管する。汎用画像データは、画像診断装置５００による検査に関連して作成されたデータであって、画像診断装置５００とは異なる装置（例えばディジタルカメラやイメージスキャナなど）から得られたデータである。汎用画像データは、画像診断装置５００による検査の検査情報で識別不可能な、あるいは識別することの困難な画像データである。付帯情報は、汎用画像データごとに付帯される、当該汎用画像データの得られた日時を示す日付などの情報である。
【００１３】
施設情報記憶装置７００は、施設情報を保管する。施設情報は、各検査に関わる医師などの担当者を識別するための、担当者名や担当者ＩＤ、および装置識別情報を含む。装置識別情報は、医療施設に設置されたイメージスキャナなどの装置を個別に識別するための、装置の種別、型名、および製造番号などの情報である。さらに、施設情報は、装置識別情報により識別される装置の設置場所を示す情報、および、この設置場所に関係する検査種別の情報などを含む。
【００１４】
患者情報記憶装置８００は、患者情報を保管する。患者情報は、例えば患者の年齢、性別、身長などの、それぞれの患者本人を特定可能とするための情報である。
【００１５】
画像管理装置１００は、通信部１０、表示部２０、入力部３０、ファイル情報収集部４０、対照情報作成部７０、判定部８０、および制御部８５を備える。
【００１６】
通信部１０は、医用画像保管装置２００、検査情報保管装置４００、汎用画像記憶装置６００、施設情報記憶装置７００、および患者情報記憶装置８００などの各装置と、ネットワーク３１０を介して通信する。これにより画像管理装置１００は、例えば医用画像保管装置２００からDICOM画像データを得る。また、画像管理装置１００は、検査情報保管装置４００から検査情報を得る。また、画像管理装置１００は、汎用画像記憶装置６００から汎用画像データを含むファイルを得る。また、画像管理装置１００は、施設情報記憶装置７００から施設情報を得る。また、画像管理装置１００は、患者情報記憶装置８００から患者情報を得る。
【００１７】
入力部３０は、表示部２０に医用画像や汎用画像などを表示させるための入力などを受け付ける。表示部２０は、医用画像保管装置２００から受信したDICOM画像データや、汎用画像記憶装置６００から受信したファイルなどを画像化して、表示する。
【００１８】
ファイル情報収集部４０は、ユーザにより指定された汎用画像データを含むファイルに関する情報を、汎用画像記憶装置６００から収集する。対照情報作成部７０は、ファイル情報収集部４０により収集された情報に基づいて対照情報を作成する。以下の説明では、比較対照のために用いられる情報として対照情報という用語を用いる。
【００１９】
判定部８０は、汎用画像記憶装置６００から得られた、ユーザにより指定された汎用画像データが、医用画像保管装置２００から得られた検査情報で識別される検査、に関連するか否かを判定する。換言すれば、判定部８０は、ユーザの指定した汎用画像データが、医用画像保管装置２００から得られたDICOM画像データに関連するか否かを判定する。この判定は、対照情報作成部７０により作成された対照情報に基づいて行われる。
【００２０】
制御部８５は、通信部１０、表示部２０、ファイル情報収集部４０、対照情報作成部７０、および判定部８０を含む画像管理装置１００、を制御する。
【００２１】
ファイル情報収集部４０は、ファイル情報を収集する。ファイル情報は、汎用画像データを含むファイル、に関する様々な情報である。ファイル情報収集部４０は、ストレージ情報収集部４１、日付情報収集部４２、担当者情報収集部４３、メタデータ収集部４４、画像データ収集部４５、装置情報収集部４６、および位置情報収集部４７を備える。
【００２２】
ストレージ情報収集部４１は、ストレージ情報を収集する。ストレージ情報は、ファイルが保管された汎用画像記憶装置６００を識別するための機種ＩＤや、汎用画像記憶装置６００の保管場所を示すフォルダ（またはディレクトリ）などの情報である。
【００２３】
日付情報収集部４２は、ファイルの汎用画像データに付帯された付帯情報に含まれる日付の情報を収集する。担当者情報収集部４３は、ファイルの付帯情報に含まれる担当者ＩＤを収集する。
【００２４】
メタデータ収集部４４は、入力部３０を操作して指定された汎用画像データのメタデータを収集する。メタデータは、対応する汎用画像データに、例えば病理検査、生検、術野写真などといった意味を持たせるために付帯されるデータである。画像データ収集部４５は、汎用画像データに含まれる文字や数字などの記号を、画像認識技術により収集する。
【００２５】
装置情報収集部４６は、ファイルの付帯情報に含まれる装置識別情報、を収集する。装置識別情報は、汎用画像データを作成した装置（イメージスキャナなど）の型名や製造番号などの情報である。
【００２６】
位置情報収集部４７は、ファイルの付帯情報に含まれる位置情報、を収集する。位置情報とは、例えばカメラが汎用画像データを作成した位置を示す情報である。また、位置情報収集部４７は、収集した位置情報に基づいて、ファイルの汎用画像データが作成された位置（例えば手術室の位置、病理検査室の位置、ＣＴ検査室の位置、あるいはＭＲＩ検査室の位置など）を計算する。
【００２７】
対照情報作成部７０は、ストレージ情報収集部４１により収集されたストレージ情報が名前情報を含むと、その名前情報を認識して比較のための患者名を作成する。また、対照情報作成部７０は、日付情報収集部４２により収集された日付から比較のための検査日を作成する。また、対照情報作成部７０は、施設情報記憶装置７００から得られた担当者名および担当者ＩＤと、担当者情報収集部４３により収集された担当者ＩＤとに基づいて、比較のための担当者名を作成する。
【００２８】
また、対照情報作成部７０は、メタデータ収集部４４により収集されたメタデータに基づいて比較のための検査種別を作成する。作成されたメタデータが病理検査を示せば、対照情報作成部７０は、比較のための検査種別として組織病理診断を作成する。作成されたメタデータが生検を示せば、対照情報作成部７０は、比較のための検査種別として生体組織診断を作成する。作成されたメタデータが術野写真を示せば、対照情報作成部７０は、比較のための検査種別として手術を作成する。
【００２９】
また、対照情報作成部７０は、画像データ収集部４５による画像認識処理で収集された情報を、対照情報として作成する。また、対照情報作成部７０は、施設情報記憶装置７００から得られた施設情報と、装置情報収集部４６により収集された装置識別情報とに基づいて、比較のための検査種別を作成する。
【００３０】
また、対照情報作成部７０は、位置情報収集部４７により計算された位置に基づいて比較のための検査種別を作成する。位置が手術室であれば、対照情報作成部７０は、比較のための検査種別として手術や術中超音波診断を作成する。位置が病理検査室であれば、対照情報作成部７０は、組織病理診断を作成する。位置がＣＴ検査室やＭＲＩ検査室であれば、対照情報作成部７０は、ＣＴ検査やＭＲＩ検査室を作成する。
【００３１】
判定部８０は、対照情報作成部７０で作成された対照情報と、検査情報保管装置４００から得た検査情報とを比較する。比較の結果、検査情報保管装置４００から得た検査情報の中に対照情報に一致する情報を含む検査情報が有れば、判定部８０は、ユーザにより指定された汎用画像データはDICOM画像データ（または所望の検査情報で識別される検査）に関連する、と判定する。検査情報保管装置４００から得た検査情報の中に、対照情報作成部７０で作成された対照情報に一致する情報を含む検査情報が無ければ、判定部８０は、ユーザにより指定された汎用画像データはDICOM画像データ（所望の検査情報で識別される検査）に関連しない、と判定する。
【００３２】
医用画像保管装置２００は、通信部２１０と、医用画像記憶部２２０と、表示部２３０と、入力部２４０と、制御部２５０とを備える。通信部２１０は、画像診断装置５００から送信されるDICOM画像データなどを、ネットワーク３１０を介して受信する。医用画像記憶部２２０は、通信部２１０で受信されたDICOM画像データを保管する。表示部２３０は、医用画像記憶部２２０に保管されたDICOM画像データを画像化した医用画像を表示する。入力部２４０は、表示部２３０に医用画像や汎用画像を表示させるための入力情報などを受け付ける。制御部２５０は、入力情報に基づいて、通信部２１０、医用画像記憶部２２０、および表示部２３０を制御する。
【００３３】
図２は、検査情報保管装置４００に保管される検査情報の一覧の例を示す図である。この検査情報一覧４０２は、例えば、”検査ＩＤ”、”種別”、”患者ＩＤ”、”患者名”、”検査日”、および、”担当者名”の複数の欄を備える。
【００３４】
”検査ＩＤ”欄は、検査毎に一意に発行される検査ＩＤを保管する。”種別”欄は、”検査ＩＤ”欄に保管された検査ＩＤで識別される検査種別を保管する。”患者ＩＤ”欄は、”検査ＩＤ”欄に保管された検査ＩＤで識別される検査、を実施される被検体、を識別するための患者ＩＤを保管する。”患者名”欄は、”検査ＩＤ”欄に保管された検査ＩＤで識別される検査を実施された被検体の名前を保管する。
【００３５】
”検査日”欄は、”検査ＩＤ”欄に保管された検査ＩＤで識別される検査の実施日（検査日）を保管する”担当者名”欄は、”検査ＩＤ”欄に保管された検査ＩＤで識別される検査の担当者名を保管する。
【００３６】
図２において、患者ＩＤとして”168”、”401”が示される。患者ＩＤ”168”を持つ患者は”Joe Smith”氏であり、患者ＩＤ”401”を持つ患者は”Yamada Taro”氏であることが示される。
【００３７】
”Joe Smith”氏は、検査日ＩＤ”2014/01/10”で示される日に、検査ＩＤ”10077”で示されるＸ線検査と、検査ＩＤ”0123456”で示されるＣＴ検査とを受けたことが示される。これらの検査の担当者の名前は、いずれも”T.T”であることが示される。
【００３８】
また”Joe Smith”氏は、検査日ＩＤ”2014/02/25”で示される日に、検査ＩＤ”4488”で示される生体組織診断を受けたことが示される。この検査の担当者の名前は、”B.C”であることが示される。
【００３９】
生体組織診断は、例えば生検によって採取された病変部位の組織の顕微鏡による観察、あるいは、顕微鏡写真の画像データを観察してなされる検査である。生体組織診断で取得される画像データ（顕微鏡写真など）は、画像診断装置５００とは異なる装置により得られたデータであり、いわゆる汎用画像データである。
【００４０】
さらに”Joe Smith”氏は、検査日ＩＤ”2014/03/14”で示される日に、検査ＩＤ”7555”で示される手術を受け、検査日ＩＤ”2014/03/15”で示される日に、検査ＩＤ”1568”で示される組織病理診断を受けたことが示される。組織病理診断は、手術により採取された病変部位の組織の顕微鏡による観察、あるいは、顕微鏡写真の画像データを観察してなされる検査である。手術者の名前は”Y.M”であり、組織病理診断の担当者の名前は”Ｔ．Ｍ”であることが示される。
【００４１】
一方、”Yamada Taro”氏は、検査日ＩＤ”2014/01/25”で示される日に、検査ＩＤ”2266”で示されるＭＲＩ検査を受けたことが示される。この検査の担当者の名前は、いずれも”S.A”であることが示される。
【００４２】
また”Yamada Taro”氏は、検査日ＩＤ”2014/03/16”で示される日に、検査ＩＤ”7556”で示される手術を受けたことが示される。手術者の名前は、”A.D”であることが示される。
【００４３】
なお、検査ＩＤ”10077”の検査はＸ線検査であり、Ｘ線検査では、検査情報を含むDICOM画像データが作成される。このDICOM画像データは医用画像保管装置２００の医用画像記憶部２２０に保管される。また、検査ＩＤ”0123456”の検査はＣＴ検査であり、ＣＴ検査では、検査情報を含むDICOM画像データが作成される。このDICOM画像データは医用画像保管装置２００の医用画像記憶部２２０に保管される。同様に、検査ＩＤ”2266”の検査はＭＲＩ検査であり、ＭＲＩ検査では、検査情報を含むDICOM画像データが作成される。このDICOM画像データは医用画像保管装置２００の医用画像記憶部２２０に保管される。次に、上記構成を基礎として、実施形態に係る画像管理装置１００における作用について説明する。
【００４４】
ユーザにより、画像管理装置１００の入力部３０を用いて、医用画像保管装置２００に保管された検査情報の一覧を表示させる操作が実施されると、画像管理装置１００は検査情報の一覧を表示部２０に表示する。所望の検査情報が指定されると、制御部８５は、指定された検査情報と、この検査情報に対応するDICOM画像データを画像化した医用画像とを表示部２０に表示する。
【００４５】
図３は、医用画像を表示するウインドウの一例を示す図である。ウインドウ２２は、第１の表示エリア２１１、第２の表示エリア２１２、第３の表示エリア２１３、および、第４の表示エリア２１４を備える。
【００４６】
第１の表示エリア２１１に、第２の表示エリア２１２に表示される医用画像のDICOM画像データに付帯される検査情報２１５が表示される。第１の表示エリア２１１表示される検査情報における検査ＩＤは”0123456”である。この検査の担当者名は”T.T”であり、検査種別は”ＣＴ検査”であり、検査日は”2014/01/10”であり、患者名（性別、年齢）および患者ＩＤは”Joe Smith（男、３０歳） 168”である。検査情報２１５は、例えば、図２に示される検査情報一覧４０２において”0123456”の検査ＩＤを持つ検査情報に対応する。
【００４７】
第２の表示エリア２１２に、ユーザにより指定されたDICOM画像データを画像化した医用画像が表示される。指定されたDICOM画像データは、医用画像保管装置２００の医用画像記憶部２２０から取得される。このエリアに表示中の画像の元になる画像データに付帯する検査情報が、検査情報保管装置４００から取得されて、第１の表示エリア２１１に示される。
【００４８】
第３の表示エリア２１３にも、検査情報２１５に関連する画像が表示される。第３の表示エリア２１３には、検査情報２１５に関連する画像のうちユーザにより指定されていない画像が縮小表示される（サムネイル画像）。つまり検査情報２１５に関連する画像は、通常、複数ある。サムネイル画像のうちいずれかが指定されると、その指定された画像が本来のサイズに拡大されて第２の表示エリア２１２に表示される。
【００４９】
第４の表示エリア２１４に、クリッカブルな操作ボタンなどが表示される。図３には、”画像貼付”ボタンが示される。”画像貼付”ボタンは、第２の表示エリア２１２の画像に汎用画像データを対応付ける操作の開始をシステムに通知するために使用される。
【００５０】
汎用画像データを第２の表示エリア２１２の画像に対応付けることは、汎用画像データを第１の表示エリア２１１の検査情報に対応付けることと同等である。しかし、対応付けられようとしている汎用画像データが対応付け先の画像データ（または検査情報）に正しく対応しているか否かを検証する手法は、知られていない。以下では、その新規な手法について説明する。
【００５１】
図３に示される”画像貼付”ボタンがクリックされると、ユーザに汎用画像データの指定が促される。ユーザはディレクトリ階層をたどり、ユーザにより指定された汎用画像データの保管されているフォルダに到達すると、図４に示されるようなウインドウがオープンされる。
【００５２】
例えば、所望の汎用画像データの保管場所として汎用画像記憶装置６００が指定されると、通信部１０は、ネットワーク３１０を介して汎用画像記憶装置６００からフォルダの一覧を取得する。そうするとフォルダの一覧が表示部２０に表示される。例えば、検査情報２１５の患者名と同じ患者名を持つフォルダがフォルダの一覧から指定されると、通信部１０は、指定されたフォルダに含まれるファイル（汎用画像データ）を汎用画像記憶装置６００から取得する。取得されたファイルは画像化されて表示部２０に表示される。次に、貼付対象の汎用画像データを指定するための操作がユーザにより実施される。
【００５３】
図４は、汎用画像データを指定するためのユーザインタフェースの一例を示す図である。図４に示されるウインドウ２２は、第１の表示エリア２２１と、第２の表示エリア２２２と、第３の表示エリア２２３とを含む。このうち第３の表示エリア２２３には、ユーザの操作をシステムに通知するための操作ボタンである”OK”が表示される。
【００５４】
第１の表示エリア２２１には、カレントフォルダとそのパス情報などが表示される。図４によれば、カレントフォルダのパスは“C:カメラ画像\Joe Smith”であることが示される。”カメラ画像”は、例えばディジタルカメラから得られた汎用画像データであることを示すフォルダ名である。”Joe Smith”は、患者名を示すフォルダ名である。つまり、例えばWindows（登録商標）ベースのシステムでは、Ｃドライブ直下の”カメラ画像”フォルダ内の”Joe Smith”フォルダに、Joe Smith氏の汎用画像データの保管されることが、示される。
【００５５】
第２の表示エリア２２２は、カレントフォルダ内の汎用画像データファイルをサムネイル表示する。第２の表示エリア２２２は、”プレビュー”欄、”ファイル名”欄、”日付”欄、”選択”欄、および”タグ”欄を含む。
【００５６】
”プレビュー”欄には、例えば３つの汎用画像データのサムネイル画像が表示される。図示しないスクロールバーを上下にスライドさせることでさらに多くのサムネイル画像を表示することができる。
【００５７】
”ファイル名”欄には、対応するサムネイル画像のファイル名が表示される。図４によれば、各ファイルのファイル名は上から順に”IMG010.jpg”、”PIC074.jpg”および”IMG090.jpg”である。
【００５８】
”日付”欄には、対応するサムネイル画像の作成された日付が表示される。図４によれば、各ファイルの作成日は上から順に”2014/01/08”、”2014/03/10”および”2014/03/24”である。
【００５９】
”選択”欄には、ファイルごとにチェックボックスが表示される。クリックされたチェックボックスに、当該ファイルが選択（あるいは指定）されたことを示すチェックマークが表示される。”タグ”欄には、プレビューされている汎用画像データの意味を示すためのダイアログボックスがファイルごとに表示される。ドロップダウンリストを用いて、例えば”病理検査”、”生検”、”術野写真”などの属性情報を指定することが可能である。指定された属性情報は、対応するファイルにメタデータとして付帯される。
【００６０】
ユーザが、例えば”IMG010.jpg”のチェックボックスをチェックして、このファイルの属性情報として”病理検査”を指定したのち”OK”がクリックされると、ウインドウ２２はクローズされる。この状態は、検査情報２１５（図３）で識別される検査に、”IMG010.jpg”が対応付けられようとしている状態である。
【００６１】
そうすると、ファイル情報収集部４０は、指定されたファイル（”IMG010.jpg”）に関するメタデータを含むファイル情報を収集する。さらに、収集されたファイル情報（メタデータを含む）と、施設情報記憶装置７００から取得された施設情報とに基づいて、対照情報作成部７０は、対照情報を作成する。
【００６２】
図５Ａは、ファイル情報の一例を示す図である。ファイル情報（符号４０１）は、例えば、”フォルダ／ファイル”、”日付”、”担当者ＩＤ”、および”メタデータ”を含む。”フォルダ／ファイル”は、ストレージ情報収集部４１により収集された、”IMG010.jpg”のストレージ情報である。”フォルダ／ファイル”は、”IMG010.jpg”の保管場所である“C:カメラ画像\Joe Smith”と、”IMG010.jpg”のベースネームである”IMG010”とを含む。”IMG010.jpg”の日付は、”2014/01/08 14:16:25”である。
【００６３】
”担当者ＩＤ”は、担当者情報収集部４３により収集された付帯情報に含まれる担当者ＩＤである。”IMG010.jpg”の”担当者ＩＤ”は”p9876543”である。”メタデータ”は、メタデータ収集部４４により収集されたメタデータである。”IMG010.jpg”の”メタデータ”は”病理検査”である。
【００６４】
図５Ｂは、図５Ａに示されるファイル情報に基づいて作成された対照情報の一例を示す図である。対照情報（符号７１）は、例えば、”患者名”、”検査日”、”担当者名”、および”検査種別”を含む。”患者名”は、ファイル情報４０１の”フォルダ／ファイル”から想定される。つまり”フォルダ／ファイル”は“C:カメラ画像\Joe Smith”を含むので、患者名として”Joe Smith”が想定される。
【００６５】
”検査日”は、日付情報収集部４２により収集された日付から想定される。図５Ａによれば、対照情報７１の検査日として”2014/01/08”が想定される。”担当者名”は、担当者情報収集部４３により収集された担当者ＩＤから想定される。図５Ａに示される担当者ＩＤは”p9876543”である。別途用意された担当者ＩＤと担当者名との対応表に基づいて、対照情報７１の担当者名として”S.Y”が想定される。”検査種別”は、メタデータ収集部４４により収集されたメタデータから想定される。図５Ａに示されるメタデータは病理検査を示し、これに基づいて対照情報７１の検査種別として”組織病理診断”が想定される。
【００６６】
判定部８０は、図４に示されるウインドウを用いて指定された汎用画像データが、図３に示される医用画像（DICOM画像データ）に関連するか否かを、当該医用画像に付帯される検査情報２１５（図３）と対照情報７１とに基づいて、判定する。判定部８０は、検査情報２１５に、対照情報７１の患者名、検査日、担当者名、および検査種別に一致する情報が有れば、汎用画像データは対応付け先の医用画像（DICOM画像データ）に関連すると判定する。検査情報２１５に、対照情報７１の患者名、検査日、担当者名、および検査種別に一致する情報が無ければ、判定部８０は、汎用画像データは対応付け先の医用画像（DICOM画像データ）に関連しないと判定する。
【００６７】
図３と図５Ｂとを比較すると、患者名は一致するが検査日が一致しない。そこでファイル情報収集部４０は、患者名”Joe Smith”とこの患者の患者ＩＤ”168”とを含む検査情報を検査情報保管装置４００から収集する。これにより患者ＩＤ”168”に係る検査リストが作成される。
【００６８】
図６は、検査リスト（符号８１）の一例を示す図である。判定部８０は、対照情報７１の検査日、検査種別、および担当者名に一致する情報がリスト８１に有れば、汎用画像データは対応付け先の医用画像（DICOM画像データ）に関連すると判定する。このケースでは、判定部８０は、前記ファイルに検査情報２１５を付加して通信部１０に出力する。通信部１０は、検査情報２１５の付加されたファイルを医用画像保管装置２００に送信する。医用画像保管装置２００は、画像管理装置１００から送信されたファイルを検査情報２１５に関連付けて医用画像記憶部２２０に保管する。
【００６９】
また、判定部８０は、対照情報７１の検査日、検査種別、および担当者名に一致する情報がリスト８１に無ければ、汎用画像データは対応付け先の医用画像（DICOM画像データ）に関連しないと判定する。リスト８１の検査ＩＤ”1568”の検査の、種別および担当者名が対照情報７１と一致する。しかし検査日が対照情報７１の検査日と一致しないので、対照情報７１の検査日、検査種別、および担当者名を含む検査情報が無い。よって判定部８０は、汎用画像データは検査情報２１５のDICOM画像データに関連しない、と判定し、表示部２０に警告を表示する。
【００７０】
図７は、警告を示すウインドウ（符号２３）の一例を示す図である。ウインドウ２３は、警告マークと”警告”の文字、および”別の患者の画像を貼り付けようとしている可能性があります”といった警告メッセージを含む。またウインドウ２３は、対照情報およびリストを含む。表示される対照情報は、”画像から想定される検査”というメッセージと、検査種別”組織病理診断”、および日付”2014/01/08”を含む。表示されるリストは、”貼り付けようとしている患者のリスト”というメッセージと、リスト８１の内容とを含む。
【００７１】
このように、画像管理装置１００は、汎用画像データの保管場所、入力された汎用画像データの意味を示すメタデータ、汎用画像データに付帯された日付、および担当者ＩＤを収集し、これらの情報に基づいて対照情報７１を作成する。また画像管理装置１００は、対照情報７１と検査情報保管装置４００から得た検査情報とを比較する。そして画像管理装置１００は、この比較の結果に基づいて、ユーザにより指定された汎用画像データが検査情報２１５で識別される検査（またはDICOM画像データ）に関連するか否かを、判定する。これにより、DICOM画像データに対応付けられようとしている汎用画像データが対応付け先の（貼り付け先の）DICOM画像データに正しく対応しているか否かを検証することができるようになる。従って画像取り違えを防止することができる。
【００７２】
なお、検査情報保管装置４００から検査情報を得ることができなければ、汎用画像データとその貼り付け先のDICOM画像データとが関連するか否かを、医用画像記憶部２２０に保管された検査情報に基づいて判定してもよい。このケースでは、ファイル情報収集部４０は、図５Ａに示されるファイル情報４０１からメタデータを除くファイル情報を収集する。
【００７３】
図８Ａは、ファイル情報の他の例を示す図である。すなわちファイル情報（符号４０１ａ）は、ファイル情報４０１からメタデータを除いた情報である。  
図８Ｂは、図８Ａに示されるファイル情報に基づいて作成された対照情報の一例を示す図である。対照情報作成部７０は、対照情報７１（図５Ｂ）から検査種別を除いた対照情報（符号７１ａ）を作成する。
【００７４】
判定部８０は、対照情報７１ａの検査日以外の情報が検査情報２１５と一致し、対照情報７１ａの検査日が、検査情報２１５の検査日を基準とする許容期間内であれば、汎用画像データとその貼り付け先のDICOM画像データとは関連する、と判定する。一方、対照情報７１ａの検査日以外の情報も検査情報２１５と一致しない場合、あるいは、対照情報７１ａの検査日が検査情報２１５の検査日を基準とする許容期間から外れていれば、判定部８０は、汎用画像データとその貼り付け先のDICOM画像データとは関連しない、と判定する。
【００７５】
このように、画像管理装置１００は、汎用画像データの保管場所、汎用画像データに付帯された日付、および担当者ＩＤを収集し、これらの情報に基づいて対照情報７１ａを作成する。また画像管理装置１００は、対照情報７１ａと、検査情報に含まれる検査日に基づいて、ユーザにより指定された汎用画像データが対応付け先のDICOM画像データに正しく対応しているか否かを判定することができるようになる。従って画像取り違えを防止することができる。
【００７６】
図９は、医用画像を表示するウインドウの他の例を示す図である。ユーザにより入力部３０を用いて、医用画像記憶部２２０に保管された検査情報の一覧を表示させる操作が実施されると、画像管理装置１００は検査情報の一覧を表示部２０に表示する。そして、所望の検査情報が指定されると、制御部８５は、指定された検査情報とこの検査情報に対応するDICOM画像データとを含むウインドウ（図９に示される符号２１ａ）を、表示部２０に表示する。
【００７７】
ウインドウ２１ａは、”Yamada Taro”氏の検査情報２１５ａを第１の表示エリア２１１に表示する。検査情報２１５ａの検査ＩＤは”2266”である。この検査の担当者名は”S.A”であり、検査種別は”ＭＲＩ検査”であり、検査日は”2014/01/25”であり、患者名（性別、年齢）および患者ＩＤは”Yamada Taro（男、４５歳） 401”である。検査情報２１５ａは、例えば、図２に示される検査情報一覧４０２において”2266”の検査ＩＤを持つ検査情報に対応する。
【００７８】
図９に示される”画像貼付”ボタンがクリックされると、ユーザに汎用画像データの指定が促される。ユーザはディレクトリ階層をたどり、ユーザにより指定された汎用画像データの保管されているフォルダに到達すると、図１０に示されるようなウインドウがオープンされる。
【００７９】
例えば、所望の汎用画像データの保管場所として汎用画像記憶装置６００が指定されると、通信部１０は、ネットワーク３１０を介して汎用画像記憶装置６００からフォルダの一覧を取得する。そうするとフォルダの一覧が表示部２０に表示される。フォルダ一覧から例えば”スキャン画像”フォルダが指定されると、通信部１０は、指定されたフォルダに含まれるファイル（汎用画像データ）を汎用画像記憶装置６００から取得する。取得されたファイルは画像化されて表示部２０に表示される。次に、貼付対象の汎用画像データを指定するための操作がユーザにより実施される。
【００８０】
図１０は、汎用画像データを指定するためのユーザインタフェースの他の例を示す図である。第１の表示エリア２２１には、カレントフォルダとそのパス情報などが表示される。図１０によれば、カレントフォルダのパスは“C:スキャン画像”であることが示される。”スキャン画像”は、例えばイメージスキャナから得られた汎用画像データであることを示すフォルダ名である。つまり、例えばWindows（登録商標）ベースのシステムでは、Ｃドライブ直下の”スキャン画像”フォルダに汎用画像データの保管されることが、示される。
【００８１】
第２の表示エリア２２２は、カレントフォルダ内の汎用画像データファイルをサムネイル表示する。第２の表示エリア２２２は図４と同様の情報を表示する。チェックボックスがチェックされ、ドロップダウンリストで例えば”心電図”が指定されたのち”OK”がクリックされると、ウインドウ２２ａはクローズされる。さらに、ユーザにより画像認識を指定する操作が実施されると、ウインドウ２１ａが表示部２０のトップに戻る。ウインドウ２１ａの”画像貼付”ボタンがクリックされると、ファイル情報収集部４０は、指定されたファイルのファイル情報を収集する。
【００８２】
図１１は、イメージスキャナから得られた汎用画像データの一例を示す図である。汎用画像データ（符号５１）は、心電図を示す波形と、この心電図に係る検査情報である”検査日”、”患者ＩＤ”および”患者名”を含む。”検査日”は”2014/03/12”であり、”患者ＩＤ”は”401”であり、”患者名”は”Yamada Taro”である。
【００８３】
ファイル情報収集部４０は、汎用画像データ５１を画像認識して、汎用画像データ５１に含まれる記号を収集する。対照情報作成部７０は、ファイル情報収集部４０により収集された、記号を含むファイル情報に基づいて対照情報を作成する。
【００８４】
なお、ストレージ情報収集部４１に収集されたストレージ情報に”スキャン画像”が含まれているケースでは、画像データ収集部４５に画像認識処理を実行させて、ファイル情報を収集させるようにしてもよい。
【００８５】
図１２Ａは、ファイル情報の他の例を示す図である。ファイル情報（符号４０１ｂ）は、画像認識された記号を含む。すなわちファイル情報４０１ｂは、フォルダ／ファイル、検査日、患者ＩＤ、患者名およびメタデータの、複数の項目を含む。
【００８６】
フォルダ／ファイルは、ストレージ情報収集部４１により収集されたストレージ情報であり、ファイル情報４０１ｂにおいては”スキャン画像／・・・・・”である。検査日、患者ＩＤ、および患者名は、画像データ収集部４５により収集された記号である。ファイル情報４０１ｂにおける”検査日”は、”2014/03/12”である。ファイル情報４０１ｂにおける患者ＩＤは、”401”である。ファイル情報４０１ｂにおける患者名は、”Yamada Taro”である。メタデータは、メタデータ収集部４４により収集される。ファイル情報４０１ｂにおけるメタデータは、”心電図”である。
【００８７】
図１２Ｂは、図１２Ａに示されるファイル情報に基づいて作成された対照情報の一例を示す図である。対照情報（符号７１ｂ）は、画像データ収集部４５により収集された情報から想定される検査日、患者ＩＤ、および患者名と、メタデータ収集部４４により収集された情報から想定される検査種別とを含む。対照情報７１ｂの”検査日”、”患者ＩＤ”、”患者名”、および”検査種別”はそれぞれ”2014/03/12”、”401”、”Yamada Taro”、および”心電図検査”である。
【００８８】
判定部８０は、対照情報７１ｂに基づいて、汎用画像データ５１（図１１）が、検査情報２１５ａ（図９）で識別される検査、すなわち第２の表示エリア２１２に表示される医用画像に関連するか否かを判定する。検査情報保管装置４００から得られた検査情報の中に、対照情報７１ｂの検査日、患者ＩＤ、患者名、および検査種別に一致する情報を含む検査情報があれば、判定部８０は、汎用画像データ５１は検査情報２１５ａで識別される検査に関連する、と判定する。検査情報保管装置４００から得られた検査情報の中に、対照情報７１ｂの検査日、患者ＩＤ、患者名、および検査種別に一致する情報を含む検査情報が無ければ、判定部８０は、汎用画像データ５１は検査情報２１５ａで識別される検査に関連しない、と判定する。
【００８９】
なお、検査情報保管装置４００に多量の検査情報が保管されているケースでは、検査日の期間を指定して、明らかに古い検査日を含む検査情報を除く検査情報を検査情報保管装置４００から得るように実施してもよい。
【００９０】
このように、汎用画像データを画像認識して得られた情報と、汎用画像データの保管場所の情報とに基づいて対照情報７１ｂを作成することができる。そして、対照情報７１ｂと、検査情報保管装置４００から得た検査情報とを比較し、その結果に基づいて、指定された汎用画像データが検査情報で識別される検査に関連するか否かを判定することが可能になる。従って画像の取り違えを防ぐことができる。
【００９１】
図１３は、汎用画像データを指定するためのユーザインタフェースの他の例を示す図である。図１３に示されるウインドウ（符号２２ｂ）によれば、カレントフォルダのパスは“C:スキャン画像”であることが示される。”スキャン画像”は、例えばイメージスキャナから得られた汎用画像データであることを示す。イメージスキャナの装置識別情報は、汎用画像データに付帯されることができる。
【００９２】
第２の表示エリア２２２は図１０と同様の情報を表示する。”タグ”欄のダイアログボックスが空白であるのはメタデータの設定されていないことを示す。”OK”がクリックされると、ウインドウ２２ｂはクローズされてウインドウ２１ａ（図９）が表示部２０のトップに戻る。ウインドウ２１ａの”画像貼付”ボタンがクリックされると、ファイル情報収集部４０は、指定されたファイルのファイル情報を収集する。このファイル情報は装置識別情報を含む。対照情報作成部７０は、ファイル情報収集部４０により収集されたファイル情報に基づいて対照情報を作成する。
【００９３】
図１４Ａは、ファイル情報の他の例を示す図である。ファイル情報（符号４０１ｃ）は、フォルダ／ファイル、日付、型名、および製造番号の、複数の項目を含む。フォルダ／ファイルは、ストレージ情報収集部４１により収集されたストレージ情報であり、ファイル情報４０１ｃにおいては”スキャン画像／・・・・・”である。
【００９４】
日付は、日付情報収集部４２により収集された、スキャン日時を示す情報である。ファイル情報４０１ｃにおける”日付”は”2014/03/09 14:11:52”である。型名は、装置情報収集部４６により収集された装置識別情報である。ファイル情報４０１ｃにおける”型名”は”TC copy/scanner”である。製造番号は、装置情報収集部４６により収集された製造番号である。ファイル情報４０１ｃにおける”製造番号”は、”9998876”である。
【００９５】
図１４Ｂは、図１４Ａに示されるファイル情報に基づいて作成された対照情報の一例を示す図である。対照情報（符号７１ｃ）は、検査日と、検査種別とを含む。検査日は、日付情報収集部４２により収集された日付から想定される。対照情報７１ｃの検査日は、”2014/03/09”である。検査種別は、装置情報収集部４６により収集された装置識別情報から想定される。”TC copy/scanner”から想定される検査種別は”心電図検査”なので、そのことが対照情報７１ｃにも反映される。
【００９６】
判定部８０は、対照情報７１ｃに基づいて、ウインドウ２２ｂにサムネイル表示された汎用画像データ（図１３）が、検査情報２１５ａ（図９）で識別される検査に関連するか否かを判定する。
【００９７】
検査情報保管装置４００から得られた検査情報の中に、対照情報７１ｃの検査日、および検査種別に一致する情報を含む検査情報が有れば、判定部８０は、汎用画像データ５１は検査情報２１５ａで識別される検査に関連する、と判定する。また、検査情報保管装置４００から得られた検査情報の中に、対照情報７１ｃの検査日、および検査種別に一致する情報を含む検査情報が無ければ、判定部８０は、汎用画像データ５１は検査情報２１５ａで識別される検査に関連しない、と判定する。
【００９８】
このように、汎用画像データに付帯された日付情報、および位置情報を収集し、これらの情報に基づいて対照情報７１ｃを作成することができる。そして、対照情報７１ｃと、検査情報保管装置４００から得た検査情報とを比較し、その結果に基づいて、指定された汎用画像データが検査情報で識別される検査に関連するか否かを判定することが可能になる。従って画像の取り違えを防ぐことができる。
【００９９】
なお、汎用画像データ５１のメタデータに患者ＩＤ、および患者名が含まれていれば、画像データ収集部４５により患者ＩＤ、および患者名を収集させ、対照情報７１ｃに患者ＩＤ、および患者名を含めてもよい。このケースでは、検査情報保管装置４００から得られた検査情報の中に、対照情報７１ｃの検査日、検査種別、患者ＩＤ、および患者名に一致する情報を含む検査情報が有れば、判定部８０は、汎用画像データ５１は検査情報２１５ａで識別される検査に関連する、と判定する。また、検査情報保管装置４００から得られた検査情報の中に、対照情報７１ｃの検査日、検査種別、患者ＩＤ、および患者名に一致する情報を含む検査情報が無ければ、判定部８０は、汎用画像データ５１は検査情報２１５ａで識別される検査に関連しない、と判定する。
【０１００】
図１５は、汎用画像データを指定するためのユーザインタフェースの他の例を示す図である。図１５に示されるウインドウ（符号２２ｃ）によれば、カレントフォルダのパスは“C:カメラ画像”であることが示される。”カメラ画像”は、例えばディジタルカメラにより得られた画像データであることを示す。
【０１０１】
第２の表示エリア２２２は図１３と同様の情報を表示する。”タグ”欄のダイアログボックスが空白であるのはメタデータの設定されていないことを示す。”OK”がクリックされると、ウインドウ２２ｃはクローズされてウインドウ２１ａ（図９）が表示部２０のトップに戻る。ウインドウ２１ａの”画像貼付”ボタンがクリックされると、ファイル情報収集部４０は、指定されたファイルのファイル情報を収集する。このファイル情報は位置情報を含む。対照情報作成部７０は、ファイル情報収集部４０により収集されたファイル情報に基づいて対照情報を作成する。
【０１０２】
図１６Ａは、ファイル情報の他の例を示す図である。ファイル情報（符号４０１ｄ）は、フォルダ／ファイル、日付、および位置情報の、複数の項目を含む。フォルダ／ファイルは、ストレージ情報収集部４１により収集されたストレージ情報であり、ファイル情報４０１ｃにおいては”カメラ画像／PIC065”である。
【０１０３】
日付は、日付情報収集部４２により収集された、スキャン日時を示す情報である。ファイル情報４０１ｄにおける”日付”は”2014/03/08 15:12:34”である。位置情報は、位置情報収集部４７により収集された位置情報から算出された撮影位置である。ファイル情報４０１ｄにおける”位置情報”は、”手術室”である。
【０１０４】
図１６Ｂは、図１６Ａに示されるファイル情報に基づいて作成された対照情報の一例を示す図である。対照情報（符号７１ｄ）は、検査日と、検査種別とを含む。検査日は、日付情報収集部４２により収集された日付から想定される。対照情報７１ｃの検査日は、”2014/03/08”である。検査種別は、位置情報収集部４７により収集された位置情報から想定される。”手術室”から、例えば”手術、術中超音波診断”といった、２つの検査種別が想定される。そのことが対照情報７１ｄにも反映される。
【０１０５】
判定部８０は、対照情報７１ｄに基づいて、ウインドウ２２ｃにサムネイル表示された汎用画像データ（図１５）が、検査情報２１５ａ（図９）で識別される検査に関連するか否かを判定する。
【０１０６】
検査情報保管装置４００から得られた検査情報の中に、対照情報７１ｄの検査日、および検査種別に一致する情報を含む検査情報が有れば、判定部８０は、指定された汎用画像データは検査情報２１５ａで識別される検査に関連する、と判定する。また、検査情報保管装置４００から得られた検査情報の中に、対照情報７１ｄの検査日、および検査種別に一致する情報を含む検査情報が無ければ、判定部８０は、指定された汎用画像データは検査情報２１５ａで識別される検査に関連しない、と判定する。
【０１０７】
このように、汎用画像データに付帯された日付情報、および位置情報を収集し、これらの情報に基づいて対照情報７１ｄを作成することができる。そして、対照情報７１ｄと、検査情報保管装置４００から得た検査情報とを比較し、その結果に基づいて、指定された汎用画像データが検査情報で識別される検査に関連するか否かを判定することが可能になる。従って画像の取り違えを防ぐことができる。
【０１０８】
［第２の実施形態］
図１７は、第２の実施形態に係る医用画像処理システムの一例を示す機能ブロック図である。図１７において図１と共通する部分には同じ符号を付して示し、重複する説明をできるだけ省略する。
【０１０９】
図１７において、画像管理装置１００は、通信部１０、表示部２０、入力部３０、処理回路９０および記憶回路９５を備える。
【０１１０】
処理回路９０は、例えばプロセッサおよびメモリを備える。処理回路９０は、情報処理装置（計算機）としての機能を備え、画像管理装置１００を制御する。また、処理回路９０は、制御処理に関する各種のプログラム（プログラム９５ａ）を記憶回路９５から読み出す。プログラム９５ａを読み出した処理回路９０は、図１７に示されるように、ストレージ情報収集機能９０ａ、画像データ収集機能９０ｂ、対照情報作成機能９０ｃ、判定機能９０ｅ、イベント情報作成機能９０ｆおよびメタデータ付加機能９０ｇを備える。すなわち処理回路９０は、ストレージ情報収集機能９０ａ、画像データ収集機能９０ｂ、対照情報作成機能９０ｃ、判定機能９０ｅ、イベント情報作成機能９０ｆおよびメタデータ付加機能９０ｇに関するプログラムを記憶回路９５から読み出す。
【０１１１】
処理回路９０は、ストレージ情報収集機能に関するプログラムを自身のメモリにロードし、実行してストレージ情報収集機能９０ａを実現する。このとき、処理回路９０は、ストレージ情報収集部として機能する。ストレージ情報収集機能９０ａは、汎用画像データに関するストレージ情報を収集する。
【０１１２】
処理回路９０は、画像データ収集機能に関するプログラムを自身のメモリにロードし、実行して画像データ収集機能９０ｂを実現する。このとき、処理回路９０は、画像データ収集部として機能する。画像データ収集機能９０ｂは、汎用画像データに付随する付随データ（appendant data）を収集する。付随データは、例えばExchangeable image file format(Exif)と称して知られるフォーマットの画像ファイル、に付随するデータである。付随データの一例としては、画像ファイルの撮影日時、撮影機器のベンダ名、撮影機器の機種名称、撮影時刻、位置情報(GPS(Global Positioning System)データなど)、サムネイルなどがある。
【０１１３】
処理回路９０は、対照情報作成機能に関するプログラムを自身のメモリにロードし、実行して対照情報作成機能９０ｃを実現する。このとき、処理回路９０は、対照情報作成部として機能する。対照情報作成機能９０ｃは、ストレージ情報収集機能９０ａにより収集されたストレージ情報と、画像データ収集機能９０ｂにより収集された付随データと、イベント情報と、メタデータとに基づいて、比較のための情報である対照情報を作成する。
【０１１４】
処理回路９０は、判定機能に関するプログラムを自身のメモリにロードし、実行して判定機能９０ｅを実現する。このとき、処理回路９０は、判定部として機能する。判定機能９０ｅは、対照情報作成機能９０ｃにより作成された対照情報に基づいて、汎用画像データが、その対応付け先のDICOM画像データを作成した検査、に関連するか否かを判定する。
【０１１５】
処理回路９０は、イベント情報作成機能に関するプログラムを自身のメモリにロードし、実行してイベント情報作成機能９０ｆを実現する。このとき、処理回路９０は、イベント情報作成部として機能する。イベント情報作成機能９０ｆは、DICOM画像データを作成した検査に係わるイベント情報を作成する。
【０１１６】
処理回路９０は、メタデータ付加機能に関するプログラムを自身のメモリにロードし、実行してメタデータ付加機能９０ｇを実現する。このとき、処理回路９０は、メタデータ付加部として機能する。メタデータ付加機能９０ｇは、汎用画像データにこの汎用画像データの意味を示すメタデータを付加する。メタデータは、汎用画像データの例えばタグ領域に情報を追記する手法で付加される。付加されたメタデータを参照することで、汎用画像データの持つ例えば病理検査、生検、術野写真などの意味を特定することが可能になる。
【０１１７】
上記構成によれば、対照情報が、汎用画像データの保管場所を示すストレージ情報（フォルダ構成、写真共有サーバの情報など）と、汎用画像データにもともと付随する付随データと、イベント情報と、メタデータとに基づいて作成される。これにより検査そのものに付帯する情報に加えて、検査に対応付けられたイベントの付帯情報が合致するか否かに基づいて、汎用画像データの正当性を検証することができる。これにより、DICOM画像データに対応付けられようとしている汎用画像データが対応付け先の（貼り付け先の）DICOM画像データに正しく対応しているか否かを検証することができるようになる。従って第２の実施形態によっても、画像取り違えを防止することができる。
【０１１８】
［第３の実施形態］
図１８は、第３の実施形態に係る医用画像処理システムの一例を示す機能ブロック図である。図１８において図１および図１７と共通する部分には同じ符号を付して示し、重複する説明をできるだけ省略する。
【０１１９】
図１８に示されるように、記憶回路９５からプログラム９５ａを読み出した処理回路９０は、ストレージ情報収集機能９０ａ、画像データ収集機能９０ｂ、対照情報作成機能９０ｃおよび判定機能９０ｅを備える。すなわち処理回路９０は、ストレージ情報収集機能９０ａ、画像データ収集機能９０ｂ、対照情報作成機能９０ｃおよび判定機能９０ｅに関するプログラムを記憶回路９５から読み出す。
【０１２０】
処理回路９０は、ストレージ情報収集機能に関するプログラムを自身のメモリにロードし、実行してストレージ情報収集機能９０ａを実現する。このとき、処理回路９０は、ストレージ情報収集部として機能する。ストレージ情報収集機能９０ａは、汎用画像データに関するストレージ情報を収集する。
【０１２１】
処理回路９０は、画像データ収集機能に関するプログラムを自身のメモリにロードし、実行して画像データ収集機能９０ｂを実現する。このとき、処理回路９０は、画像データ収集部として機能する。画像データ収集機能９０ｂは、汎用画像データに付随する付随データ（appendant data）を収集する。
【０１２２】
処理回路９０は、対照情報作成機能に関するプログラムを自身のメモリにロードし、実行して対照情報作成機能９０ｃを実現する。このとき、処理回路９０は、対照情報作成部として機能する。対照情報作成機能９０ｃは、ストレージ情報収集機能９０ａにより収集されたストレージ情報と、画像データ収集機能９０ｂにより収集された付随データとに基づいて、比較のための情報である対照情報を作成する。
【０１２３】
処理回路９０は、判定機能に関するプログラムを自身のメモリにロードし、実行して判定機能９０ｅを実現する。このとき、処理回路９０は、判定部として機能する。判定機能９０ｅは、対照情報作成機能９０ｃにより作成された対照情報に基づいて、汎用画像データが、その対応付け先のDICOM画像データを作成した検査、に関連するか否かを判定する。
【０１２４】
上記構成によれば、対照情報が、汎用画像データの保管場所を示すストレージ情報と、汎用画像データにもともと付随する付随データとに基づいて作成される。これにより、より簡易的な手法により汎用画像データの正当性を検証することができる。すなわち第３の実施形態によっても、DICOM画像データに対応付けられようとしている汎用画像データが対応付け先の（貼り付け先の）DICOM画像データに正しく対応しているか否かを検証することができるようになる。従って画像取り違えを防止することができる。
【０１２５】
［第４の実施形態］
図１９は、第４の実施形態に係る医用画像処理システムの一例を示す機能ブロック図である。図１９において図１および図１７と共通する部分には同じ符号を付して示し、重複する説明をできるだけ省略する。
【０１２６】
図１９に示されるように、記憶回路９５からプログラム９５ａを読み出した処理回路９０は、ストレージ情報収集機能９０ａ、画像データ収集機能９０ｂ、対照情報作成機能９０ｃ、判定機能９０ｅ、および画像認識機能９０ｈを備える。すなわち処理回路９０は、ストレージ情報収集機能９０ａ、画像データ収集機能９０ｂ、対照情報作成機能９０ｃ、判定機能９０ｅ、および画像認識機能９０ｈに関するプログラムを記憶回路９５から読み出す。
【０１２７】
処理回路９０は、画像認識機能に関するプログラムを自身のメモリにロードし、実行して画像認識機能９０ｈを実現する。このとき、処理回路９０は、画像認識部として機能する。画像認識機能９０ｈは、汎用画像データに含まれる記号情報を、画像認識技術により収集する。
【０１２８】
記号情報とは、汎用画像データに含まれる文字、数字などのキャラクタデータであり、例えば既存の画像認識エンジンにより抽出可能なデータである。
【０１２９】
処理回路９０の対照情報作成機能９０ｃは、ストレージ情報収集機能９０ａにより収集されたストレージ情報と、画像データ収集機能９０ｂにより収集された付随データと、画像認識機能９０ｈにより取得された記号情報とに基づいて、比較のための情報である対照情報を作成する。
【０１３０】
処理回路９０の判定機能９０ｅは、対照情報作成機能９０ｃにより作成された対照情報に基づいて、汎用画像データが、その対応付け先のDICOM画像データを作成した検査、に関連するか否かを判定する。
【０１３１】
上記構成によれば、対照情報が、汎用画像データのストレージ情報と、付随データと、記号情報とに基づいて作成される。これにより、汎用画像データの保管場所、Exif情報などの付随データに加えて、汎用画像データに含まれる記号情報をも含む対照情報が作成される。これにより、DICOM画像データに対応付けられようとしている汎用画像データが対応付け先の（貼り付け先の）DICOM画像データに正しく対応しているか否かを検証することができるようになる。従って第４の実施形態によっても、画像取り違えを防止することができる。
【０１３２】
［第５の実施形態］
図２０は、第５の実施形態に係る医用画像処理システムの一例を示す機能ブロック図である。図２０において図１および図１７と共通する部分には同じ符号を付して示し、重複する説明をできるだけ省略する。
【０１３３】
図２０に示されるように、記憶回路９５からプログラム９５ａを読み出した処理回路９０は、ストレージ情報収集機能９０ａ、画像データ収集機能９０ｂ、対照情報作成機能９０ｃ、判定機能９０ｅ、および位置情報認識機能９０ｉを備える。すなわち処理回路９０は、ストレージ情報収集機能９０ａ、画像データ収集機能９０ｂ、対照情報作成機能９０ｃ、判定機能９０ｅ、および位置情報認識機能９０ｉに関するプログラムを記憶回路９５から読み出す。
【０１３４】
処理回路９０は、位置情報認識機能に関するプログラムを自身のメモリにロードし、実行して位置情報認識機能９０ｉを実現する。このとき、処理回路９０は、位置情報認部として機能する。位置情報認識機能９０ｉは、汎用画像データの作成された位置の位置情報を認識する。
【０１３５】
処理回路９０の対照情報作成機能９０ｃは、ストレージ情報収集機能９０ａにより収集されたストレージ情報と、画像データ収集機能９０ｂにより収集された付随データと、位置情報認識機能９０ｉにより取得された位置情報とに基づいて、比較のための情報である対照情報を作成する。
【０１３６】
処理回路９０の判定機能９０ｅは、対照情報作成機能９０ｃにより作成された対照情報に基づいて、汎用画像データが、その対応付け先のDICOM画像データを作成した検査、に関連するか否かを判定する。
【０１３７】
上記構成によれば、対照情報が、汎用画像データのストレージ情報と、付随データと、位置情報とに基づいて作成される。これにより、汎用画像データの保管場所と、付随データと、その汎用画像データを作成した装置の設置場所を示す情報とを組み合わせた対照情報を得ることができる。これにより、DICOM画像データに対応付けられようとしている汎用画像データが対応付け先の（貼り付け先の）DICOM画像データに正しく対応しているか否かを検証することができるようになる。従って第５の実施形態によっても、画像取り違えを防止することができる。
【０１３８】
［第６の実施形態］
図２１は、第６の実施形態に係る医用画像処理システムの一例を示す機能ブロック図である。図２１において図１および図１７と共通する部分には同じ符号を付して示し、重複する説明をできるだけ省略する。
【０１３９】
図２１に示されるように、記憶回路９５からプログラム９５ａを読み出した処理回路９０は、ストレージ情報収集機能９０ａ、画像データ収集機能９０ｂ、対照情報作成機能９０ｃ、判定機能９０ｅ、および画像生成装置分析機能９０ｊを備える。すなわち処理回路９０は、ストレージ情報収集機能９０ａ、画像データ収集機能９０ｂ、対照情報作成機能９０ｃ、判定機能９０ｅ、および画像生成装置分析機能９０ｊに関するプログラムを記憶回路９５から読み出す。
【０１４０】
処理回路９０は、画像生成装置分析機能に関するプログラムを自身のメモリにロードし、実行して画像生成装置分析機能９０ｊを実現する。このとき、処理回路９０は、画像生成装置分析部として機能する。画像生成装置分析機能９０ｊは、汎用画像データを作成した画像生成装置に関する画像生成装置情報を取得する。
【０１４１】
処理回路９０の対照情報作成機能９０ｃは、ストレージ情報収集機能９０ａにより収集されたストレージ情報と、画像データ収集機能９０ｂにより収集された付随データと、画像生成装置分析機能９０ｊにより取得された画像生成装置情報とに基づいて、比較のための情報である対照情報を作成する。
【０１４２】
処理回路９０の判定機能９０ｅは、対照情報作成機能９０ｃにより作成された対照情報に基づいて、汎用画像データが、その対応付け先のDICOM画像データを作成した検査、に関連するか否かを判定する。
【０１４３】
上記構成によれば、汎用画像データのストレージ情報と、付随データと、その汎用画像データを作成した装置の識別情報とを組み合わせた対照情報が作成される。これにより、汎用画像データの保管場所、付随データに加えて、その汎用画像データを作成した装置そのものの識別情報をも含む対照情報を得ることができる。これにより、DICOM画像データに対応付けられようとしている汎用画像データが対応付け先の（貼り付け先の）DICOM画像データに正しく対応しているか否かを検証することができるようになる。従って第６の実施形態によっても、画像取り違えを防止することができる。
【０１４４】
この発明は上記各実施形態に限定されるものではない。例えば実施形態では、”画像貼付”がクリックされたあとで、汎用画像データと検査情報との整合を検証するようにした。これに代えて、例えば貼付対象の汎用画像データの指定された直後、つまり、ウインドウ２２の”OK”ボタン（図４）がクリックされた直後に、指定された汎用画像データと検査情報との整合を検証するようにしてもよい。
【０１４５】
また、ユーザにより指定された汎用画像データが検査情報で識別される検査に関連するか否かを、検査情報保管装置４００から得た検査情報を参照して判定することも可能である。
【０１４６】
また実施形態では、画像管理装置１００が、汎用画像データを含むファイルを、汎用画像記憶装置６００から得るとして説明した。これに代えて、携帯可能な記憶デバイス（カードメモリなど）に、汎用画像データを含むファイルを保管し、画像管理装置１００に、カードリーダを実装（implement）するようにしても良い。このようにすれば、画像管理装置１００は、記憶デバイスに保管された汎用画像データを含むファイルを、カードリーダにより得ることができる。よってデータの可搬性を高められる。
【０１４７】
また、ファイル情報収集部４０、対照情報作成部７０、および判定部８０を医用画像保管装置２００に設けてもよい。そして、ユーザにより指定された汎用画像データが所望の検査情報で識別される検査に関連するか否かを、医用画像保管装置２００において判定するように構成しても良い。
【０１４８】
また、画像管理システム３００を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳ（Operating System）や周辺機器等のハードウェアを含むものであってもよい。
【０１４９】
上記説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、上記各実施形態の各プロセッサは、プロセッサごとに単一の回路として構成される場合に限らず、複数の独立した回路を組み合わせて１つのプロセッサとして構成し、その機能を実現するようにしてもよい。さらに、上記各実施形態における複数の構成要素を１つのプロセッサへ統合してその機能を実現するようにしてもよい。
【０１５０】
本発明のいくつかの実施形態を説明したが、これらの実施形態は例として提示するものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５１】
１０…通信部、２０…表示部、２１ａ…ウインドウ、２２…ウインドウ、２２ａ…ウインドウ、２２ｂ…ウインドウ、２２ｃ…ウインドウ、２３…ウインドウ、３０…入力部、４０…ファイル情報収集部、４１…ストレージ情報収集部、４２…日付情報収集部、４３…担当者情報収集部、４４…メタデータ収集部、４５…画像データ収集部、４６…装置情報収集部、４７…位置情報収集部、５１…汎用画像データ、７０…対照情報作成部、７１…対照情報、７１ａ…対照情報、７１ｂ…対照情報、７１ｃ…対照情報、７１ｄ…対照情報、８０…判定部、８１…リスト、８５…制御部、９０…処理回路、９０ａ…ストレージ情報収集機能、９０ｂ…画像データ収集機能、９０ｃ…対照情報作成機能、９０ｅ…判定機能、９０ｆ…イベント情報作成機能、９０ｇ…メタデータ付加機能、９０ｈ…画像認識機能、９０ｉ…位置情報認識機能、９０ｊ…画像生成装置分析機能、９５…記憶回路、９５ａ…プログラム、１００…画像管理装置、２００…医用画像保管装置、２１０…通信部、２１１…表示エリア、２１２…表示エリア、２１３…表示エリア、２１４…表示エリア、２１５…検査情報、２１５ａ…検査情報、２２０…医用画像記憶部、２２１…表示エリア、２２２…表示エリア、２２３…表示エリア、２３０…表示部、２４０…入力部、２５０…制御部、３００…画像管理システム、３１０…ネットワーク、４００…検査情報保管装置、４０１…ファイル情報、４０１ｂ…ファイル情報、４０１ｃ…ファイル情報、４０１ｄ…ファイル情報、４０２…検査情報一覧、５００…画像診断装置、６００…汎用画像記憶装置、７００…施設情報記憶装置、８００…患者情報記憶装置
【図１】
2016136386.tif 000003
【図２】
2016136386.tif 000004
【図３】
2016136386.tif 000005
【図４】
2016136386.tif 000006
【図５Ａ】
2016136386.tif 000007
【図５Ｂ】
2016136386.tif 000008
【図６】
2016136386.tif 000009
【図７】
2016136386.tif 000010
【図８Ａ】
2016136386.tif 000011
【図８Ｂ】
2016136386.tif 000012
【図９】
2016136386.tif 000013
【図１０】
2016136386.tif 000014
【図１１】
2016136386.tif 000015
【図１２Ａ】
2016136386.tif 000016
【図１２Ｂ】
2016136386.tif 000017
【図１３】
2016136386.tif 000018
【図１４Ａ】
2016136386.tif 000019
【図１４Ｂ】
2016136386.tif 000020
【図１５】
2016136386.tif 000021
【図１６Ａ】
2016136386.tif 000022
【図１６Ｂ】
2016136386.tif 000023
【図１７】
2016136386.tif 000024
【図１８】
2016136386.tif 000025
【図１９】
2016136386.tif 000026
【図２０】
2016136386.tif 000027
【図２１】
2016136386.tif 000028